(57)【特許請求の範囲】
【請求項１】
森林（１）内の放射能汚染された汚染土壌（10）を、該森林（１）の外の土壌集積地（２）まで搬出する森林内除染方法であって、
上記森林（１）内の複数の木（11）に夫々取着した滑車（５）と、上記土壌集積地（２）に設けた駆動回転体（21）とに、所定長さの複数本の定尺ロープ（60）を連結した無端環状ロープ（６）を懸架し、かつ、上記無端環状ロープ（６）には複数本の短寸ロープ（70）が取着して複数の吊り輪部（62）が形成されており、上記無端環状ロープ（６）にテンションをかけつつ上記駆動回転体（21）を回転駆動させて上記吊り輪部（62）を上記森林（１）と上記土壌集積地（２）の間を巡回させ、巡回する上記吊り輪部（62）に上記汚染土壌（10）を収納した搬送容器（８）を順次吊り下げて搬出することを特徴とする森林内除染方法。
【請求項２】
連結する複数本の上記定尺ロープ（60）の本数を増減させて搬送ルートを変更させ、除染完了区域（Ｆ）を次々と広めてゆく請求項１記載の森林内除染方法。
【請求項３】
上記搬送容器（８）をフレコンバック（80）とし、上記汚染土壌（10）を複数の土嚢袋（81）に収納し、上記フレコンバック（80）に上記複数の土嚢袋（81）を収納して上記汚染土壌（10）を搬出する請求項１又は２記載の森林内除染方法。
【請求項４】
上記定尺ロープ（60）及び上記短寸ロープ（70）を合成繊維製とした請求項１，２又は３記載の森林内除染方法。
【発明の詳細な説明】
【技術分野】
【０００１】
本発明は、森林内除染方法に関する。
【背景技術】
【０００２】
原子力発電所の事故等によって放射性セシウム等の放射性物質の粉体やそれを含んだ雨が森林に降ると、放射性物質が土壌に付着・蓄積して、汚染土壌となる。
この汚染土壌に、雨が降ると、放射性物質が、ふもとの農地や居住地に、流出する虞がある。
このような汚染土壌は、森林に、農林業用モノレール（例えば特許文献１参照）や、土砂用コンベアを設置して、森林外の土壌集積地まで搬送する方法が検討されていた。
【先行技術文献】
【特許文献】
【０００３】
【特許文献１】特開２０００−１５９１００号公報
【発明の概要】
【発明が解決しようとする課題】
【０００４】
しかし、農林業用モノレールや土砂用コンベアは、森林内に、装置の部品を搬送可能な程度の作業道や、木や石等の障害物を除去して装置を設置可能な程度の設置場所を新たに整備する必要があるといった問題があった。また、設置に多大な時間がかかるため、除染作業を直ぐに開始できないという問題があった。
【０００５】
そこで、本発明は、森林内に、作業道や設置場所を新たに整備しなくとも、様々な森林に柔軟に対応でき、汚染土壌を土壌集積地まで搬出可能であると共に、除染作業を迅速に開始可能な森林内除染方法の提供を目的とする。
【課題を解決するための手段】
【０００６】
上記目的を達成するために、本発明の森林内除染方法は、森林内の放射能汚染された汚染土壌を、該森林の外の土壌集積地まで搬出する森林内除染方法であって、上記森林内の複数の木に夫々取着した滑車と、上記土壌集積地に設けた駆動回転体とに、所定長さの複数本の定尺ロープを連結した無端環状ロープを懸架し、かつ、上記無端環状ロープには複数本の短寸ロープが取着して複数の吊り輪部が形成されており、上記無端環状ロープにテンションをかけつつ上記駆動回転体を回転駆動させて上記吊り輪部を上記森林と上記土壌集積地の間を巡回させ、巡回する上記吊り輪部に上記汚染土壌を収納した搬送容器を順次吊り下げて搬出する方法である。
【０００７】
また、連結する複数本の上記定尺ロープの本数を増減させて搬送ルートを変更させ、除染完了区域を次々と広めてゆく方法である。
また、上記搬送容器をフレコンバックとし、上記汚染土壌を複数の土嚢袋に収納し、上記フレコンバックに上記複数の土嚢袋を収納して上記汚染土壌を搬出する方法である。
また、上記定尺ロープ及び上記短寸ロープを合成繊維製とした方法である。
【発明の効果】
【０００８】
本発明によれば、森林内に、作業道や設置場所を新たに整備しなくとも、様々な森林に柔軟に対応して汚染土壌搬送ルートを容易に形成でき、除染作業を迅速に開始できる。汚染土壌を土壌集積地まで容易に搬出できる。また、除染対象区域への搬送ルートの移設や、除染作業後の撤去を容易かつ迅速に行なうことができる。
【図面の簡単な説明】
【０００９】
【図１】本発明の実施の一形態を示す簡略全体図である。
【図２】実施の一形態を示す要部側面図である。
【図３】定尺ロープと短寸ロープの一例を示す側面図である。
【図４】無端環状ロープの接続部を示す側面図である。
【図５】吊り輪部の一例を示す側面図である。
【図６】除染対象区域の一例を示す斜視図である。
【図７】搬送容器と吊下部材の一例を示す図であり、（ａ）は搬送容器と吊下部材の側面図であり、（ｂ）は搬送容器と吊下部材の取付部を説明するための斜視図であり、（ｃ）は取付部の要部断面正面図である。
【図８】除染完了区域の一例を示す斜視図である。
【図９】搬送ルートの一例を示す簡略全体図である。
【図１０】搬送ルートの他例を示す簡略全体図である。
【発明を実施するための形態】
【００１０】
以下、図示の実施形態に基づき本発明を詳説する。
本発明に係る森林内除染方法は、図１及び図２に示すように、森林１内の放射能汚染された汚染土壌10を、森林１の外の土壌集積地２まで搬出する森林内除染方法である。
【００１１】
森林１内には、放射性セシウム等の放射性物質を含んだ雨等が森林に降って、地形や地質等の理由により、放射性物質が付着・蓄積した汚染土壌10が存在している。この汚染土壌10を有する除染対象区域（汚染区域）Ｅから、土壌集積地２にわたって、複数の木11，11夫々に、締め付けベルト部材等を介して滑車５を揺動自在に取着する。
【００１２】
また、土壌集積地２には、エンドレスドラムウインチ等の駆動回転体21と、ウインチ等の巻取機22と、を有するパワーシャベル等のベースマシンＫを配設する。
また、ベースマシンＫ近傍の木11、或いは、支柱に、ベルト状締め付け部材を介して滑車５を揺動自在に取着する。
【００１３】
そして、所定長さの合成繊維製の複数本の定尺ロープ60を連結した無端環状ロープ６を滑車５に懸架する。
無端環状ロープ６は、複数の定尺ロープ60を、夫々、滑車５近傍に配設して、隣り合う定尺ロープ60を連結（接続）して形成する。或いは、複数本の定尺ロープ60を接続して１本の長尺ロープを形成して滑車５に懸架させた後に、長尺ロープの両端を接続して形成するも良い。
【００１４】
無端環状ロープ６を、駆動回転体21に複数回巻き付けて懸架する。
無端環状ロープ６は、定尺ロープ60を駆動回転体21に複数回巻きつけ、滑車５側の定尺ロープ60と接続して形成する。或いは、複数本の定尺ロープ60を接続して１本の長尺ロープを形成し、駆動回転体21に懸架させた後に、長尺ロープの両端を接続して形成するも良い。
【００１５】
図３に示すように、定尺ロープ60は、10本以上の多数本の合成繊維から成るストランド90，90を、２本（束）１組として、その組を交互に重ね合わせるように組み込んで、張力非作用状態（自然状態や長手方向Ｎの圧縮力作用状態）で軸心に沿った中空部（円筒網袋状部）60ｅが形成される合成繊維ロープとも呼ばれるものである。
また、定尺ロープ60は、予め（土壌集積地２に到着前に）、所定長さに形成された複数種類のものを用意している。具体的には、約１００ｍ、約５０ｍ、約３０ｍ、約２０ｍ、の長さに形成された５種類のものである。合成繊維は、例えば、ポリアシド系ナイロン、ポリエチレン、ビニロン、ポリプロピレン等である。また、破断張力が６ｔ以上のものが望ましい。
【００１６】
図４に示すように、一方の定尺ロープ60（60Ａ）と、他方の定尺ロープ60（60Ｂ）が接続される。
つまり、無端環状ロープ６の接続部61は、他方の定尺ロープ60（60Ｂ）の先端94が、一方の定尺ロープ60（60Ａ）の一端部91の中空部60ｅに挿入されて収納され、かつ、一方の定尺ロープ60（60Ａ）の先端92が、他方の定尺ロープ60（60Ｂ）の他端部93の中空部60ｅに挿入されて収納され、接続部61の中間部（位置）で２本の定尺ロープ60Ａ，60Ｂ（の軸心）が１本ずつの分割状態で（２本に分岐して）配設される分岐部（分離部）を形成し、接続部61の両端部（位置）で２本の定尺ロープ60Ａ，60Ｂが一本化（合流）した合流部を形成した、唇状（二股状）である。
【００１７】
この接続部61は、長手方向Ｎの引張り力に強く、張力（テンション）が作用している状態で中空部60ｅが縮径する締め付け力によって、挿入されている定尺ロープ60の先端92，94の抜け止めが行われる。また、飲込み（収容）側の定尺ロープ60を長手方向Ｎに圧縮すれば、中空部60ｅが拡大し、差し込んだ（挿入）側の定尺ロープ60が容易に引き抜かれ、接続が解除される。即ち、接続部61は、着脱自在に接続され、無端環状ロープ６を形成する複数本の定尺ロープ60の本数を増減自在とし、長さを変更自在としている。
【００１８】
また、無端環状ロープ６には、図３に示すように、定尺ロープ60よりも小径かつ短寸である合成繊維製の短寸ロープ70が、図５に示すように、取着され吊り輪部62が形成されている。
図３及び図５に於て、短寸ロープ70は太さや長さが異なるだけで定尺ロープ60同様に、多数本の合成繊維から成るストランド79，79を、２本１組として、その組を交互に重ね合わせて中空部が形成されたものである。なお、中空部を有していないものでも良い。破断張力が１ｔ以上のものが望ましい。
【００１９】
図５に於て、短寸ロープ70は、中間部70ｃがＵ字弯曲状に形成されるように両端70ａ，70ｂが無端環状ロープ６の外周面から相反する無端環状ロープ６の長手方向Ｎに差し込まれて中空部60ｅに挿入されて取着している。
つまり、定尺ロープ60の張力非作用状態又は小さな圧力作用状態下にて、短寸ロープ70の一端70ａが長手一方向Ｎ１に沿って中空部60ｅに差し込まれて一本化され、他端70ｂが長手他方向Ｎ２に沿って中空部60ｅに差し込まれて一本化されている。短寸ロープ70を、無端環状ロープ６の長手方向Ｎに10本以上の多数本取着している。言い換えると、無端環状ロープ６に、Ｕ字弯曲状の中間部70ｃをもって形成された10箇所以上の多数の吊り輪部62を形成している。
【００２０】
無端環状ロープ６は、その使用状態下で、長手方向Ｎに強力な引張力（テンション）が作用する。この引張力によって、定尺ロープ60の中空部60ｅが縮径するようにストランド90が絞り込まれる。これによって、挿入された短寸ロープ70の両端70ａ，70ｂは、圧接（締め付け）による摩擦力により、引抜けることがない（強力に接続される）。
また、無端環状ロープ６を長手方向Ｎに圧縮すれば、ストランド90とストランド90の間が開くと共に中空部60ｅが拡径して、短寸ロープ70の両端70ａ，70ｂがスムーズに引き抜かれる。無端環状ロープ６と短寸ロープ70の接続は工具を必要とせず容易に解除され、無端環状ロープ６に対して短寸ロープ70（吊り輪部62）を容易かつ迅速に着脱自在としている。また、取付本数（箇所）を増減自在としている。また、相互に隣り合う吊り輪部62の取付間隔寸法（取付ピッチ寸法）変更自在としている。例えば、４ｍ間隔や１ｍ間隔、50ｃｍ間隔でも設けることが可能である。
【００２１】
そして、図１及び図２に示すように、滑車５及び駆動回転体21に懸架された無端環状ロープ６を、滑車５を介して巻取機22で引き寄せてテンション（引張力）を付与させる。
さらに、テンションをかけつつ駆動回転体21を回転駆動させて、無端環状ロープ６を引き寄せつつ送り出して、土壌集積地２から森林１にわたって無端環状ロープ６を周回循環させる。つまり、複数（10箇所以上の多数）の吊り輪部62を森林１と土壌集積地２の間を巡回させる。この無端環状ロープ６の架設ルート（周回循環ルート）が、搬送ルートと成る。また、搬送ルート近傍が除染作業区域となる。例えば、搬送ルートに囲まれた範囲や、搬送ルートから約１０ｍ四方を除染作業区域とする。
【００２２】
また、森林１内の除染対象区域Ｅ内に、除染作業者Ｐを配設し、落葉や落枝等を有する汚染土壌10を採取させる。
図６に示すように、森林１内には、落葉や落枝等が堆積し、また、雑草等が生えている。地表から所定の深さの土壌が、放射能汚染されている可能性が高い。そこで、所定の深さまでの落葉や落枝及び雑草や腐植層等を有する土壌を、汚染土壌10として、農作業工具等で削り取るように採取する。
【００２３】
そして、図１及び図２に示すように、採取した汚染土壌10を、搬送容器８に収納する。除染対象区域Ｅ（除染作業区域）内を巡回してくる吊り輪部62に、搬送容器８を、順次吊り下げて、汚染土壌10を土壌集積地２に搬出する。
また、土壌集積地２側の作業者は吊り輪部62から搬送容器８を取り外して、荷降ろし（荷受け）する。
【００２４】
図７（ａ）に示すように、搬送容器８は、具体的には、フレコンバック80である。
採取した汚染土壌10を土嚢袋81に収納し、汚染土壌10が収納された複数の土嚢袋81をフレコンバック80に収納する。
フレコンバック80は、持ち手部80ａに、フック部（鉤爪部）89ａとロープ部89ｂを有する吊下部材89が取着されている。つまり、除染作業者Ｐは、吊り輪部62にフック部89ａを引っ掛けることで、フレコンバック80を無端環状ロープ６に吊り下げる。このように、吊り輪部62にフック部89ａを引っ掛けることで、無端環状ロープ６に対して搬送容器８の着脱が容易となって、無端環状ロープ６の周回（駆動回転体21の回転駆動）を止めることなく作業が可能となる。また、吊り輪部62が可撓性を有するロープであるため、変形自在となって、駆動回転体21や滑車５に引掛ること無くスムーズに無端環状ロープ６が周回駆動する。
また、吊下部材89のロープ部89ｂは、合成繊維製であって、定尺ロープ60と同様にストランドと中空部を有している。ロープ部89ｂは、一文字状態での下端を、自らの中空部に差し込んで、輪部89ｃを形成している。
そして、フレコンバック80と吊下部材89の取付部Ｊは、図７（ｂ）に示すように、輪部89ｃの輪内に、持ち手部80ａを巻き込んだ輪部89ｃの一部89ｄを挿通させ、一部89ｄが形成する輪内にＪ字状の抜け止め棒84を、挿入して、図７（ｃ）に示すように抜け止め棒84で一部89ｄの抜けを防止している。このように取り付けることで、土壌集積地２の作業者は、指で抜け止め棒84を引っ掛けて引き抜けばフレコンバック80のみを容易に無端環状ロープ６から離間して回収できる。
【００２５】
汚染土壌10が採取搬出されると、図８に示すように、森林１は、落葉や落枝、雑草等が無くなって、除染が終了した除染完了区域Ｆとなる。
図９に示すように、森林１内の搬送ルート近傍の除染作業が終了して、除染完了区域Ｆとなると、除染完了区域Ｆの隣接地（近傍地）が次の除染対象区域Ｅ´となる。
図10に示すように、滑車５を次の除染対象区域Ｅ´に移設や増設する。
また、無端環状ロープ６を接続部61で分離し、定尺ロープ60の本数を増やして無端環状ロープ６を延長する。つまり、搬送ルートを延長・増設する。
そして、再び、汚染土壌10を搬送容器８に収納して吊り輪部62に引っ掛けて、森林１から搬出させる。
【００２６】
また、図10に示すように、長い搬送ルートを形成し、土壌集積地２から遠い森林１内から、除染作業を行なって、次に、土壌集積地２に近い森林１内を除染するために、無端環状ロープ６を形成する定尺ロープ60の本数を減らして、搬送ルートを短縮・減少させても良い。森林１内には、急斜面や急な窪地、大きな石等の障害物が点在しているが、定尺ロープ60の本数及び滑車５を増減させると共に、滑車５の配置を変更して自由自在に搬送ルートを変更可能としている。
【００２７】
また、図示省略するが、滑車５は、外周面に横断面Ｕ字状の懸架溝部を有するプーリ等の回転体を備え、回転体の森林土壌側の溝側壁部を、所定間隔毎に切り欠いたスプロケット型（歯車型）に形成したものを用いる。垂下状の吊り輪部62が引っ掛かるのをより防げて好ましい。
【００２８】
なお、本発明は、設計変更可能であって、搬送容器８は、魚網等の網材で形成した網状の袋体とするも良い。また、土嚢袋81に吊下部材89を取着して吊り上げても良い。つまり、土嚢袋81を搬送容器８とするも良い。また、ベースマシンＫは、建設機械、林内作業車、農作業車等とするも良い。
【００２９】
以上のように、本発明の森林内除染方法は、森林１内の放射能汚染された汚染土壌10を、森林１の外の土壌集積地２まで搬出する森林内除染方法であって、森林１内の複数の木11に夫々取着した滑車５と、土壌集積地２に設けた駆動回転体21とに、所定長さの複数本の定尺ロープ60を連結した無端環状ロープ６を懸架し、かつ、無端環状ロープ６には複数本の短寸ロープ70が取着して複数の吊り輪部62が形成されており、無端環状ロープ６にテンションをかけつつ駆動回転体21を回転駆動させて吊り輪部62を森林１と土壌集積地２の間を巡回させ、巡回する吊り輪部62に汚染土壌10を収納した搬送容器８を順次吊り下げて搬出するので、森林１内に、作業道や設置場所を新たに整備しなくとも、様々な森林１に柔軟に対応して汚染土壌搬送ルートを容易に形成でき、除染作業を迅速に開始できる。汚染土壌10を土壌集積地２まで容易に搬出できる。また、除染対象区域Ｅへの搬送ルートの移設や、除染作業後の撤去を容易かつ迅速に行なうことができる。つまり、農林業用モノレールや土砂用コンベア等の過大な装置に比べて、搬送・設置・撤去の何れにおいても迅速かつ容易に作業できる。また、複数の吊り輪部62が順次巡回してくるので、農林業用モノレールのように１台の回収作業車が集荷する場合に比べて、除染作業者Ｐは、回収のタイミングに合わせる必要が無い。したがって、高齢者や女性等の力の弱い者や作業に不慣れなボランティアの者であっても、マイペースに汚染土壌10を搬送させることができる。
【００３０】
また、連結する複数本の定尺ロープ60の本数を増減させて搬送ルートを変更させ、除染完了区域Ｆを次々と広めてゆくので、除染対象区域Ｅが広く、土壌集積地２が限られた広さしかなくても、土壌集積地２（ベースマシンＫ等）を移動させずに広範囲を除染できる。森林１内の障害物等に柔軟に対応して除染完了区域Ｆを隈なく広めることができる。
【００３１】
また、搬送容器８をフレコンバック80とし、汚染土壌10を複数の土嚢袋81に収納し、フレコンバック80に複数の土嚢袋81を収納して汚染土壌10を搬出するので、土嚢袋81を直接的に無端環状ロープ６に引っ掛ける場合に比べて、１つの吊り輪部62でより多くの汚染土壌10を搬出することができる。作業効率が良く、フック部89ａを有する吊下部材89を、土嚢袋81に取着する場合は、汚染土壌10を収納した土嚢袋81を動かす手前や腕力が必要であるが、フレコンバック80に取着する場合は、汚染土壌10を収納する前に（予め）、持ち手部80ａに取着すれば良いので、作業効率が良く容易かつ迅速に無端環状ロープ６に引っ掛けることができる。
【００３２】
また、定尺ロープ60及び短寸ロープ70を合成繊維製としたので、破断張力が６ｔと十分に大きくでき、直径約１２ｍｍの場合、重量は１００ｍで１０ｋｇである。破断張力が６ｔの金属製定尺ワイヤは、直径１２ｍｍの場合、重量は１００ｍで６０ｋｇである。即ち、合成繊維製の定尺ロープ60は、十分な破断張力を有しながらも、軽量で持ち運びが容易であり、搬入・搬出が人力で容易に行なうことができる。
【符号の説明】
【００３３】
１  森林
２  土壌集積地
５  滑車
６  無端環状ロープ
８  搬送容器
10  汚染土壌
11  木
21  駆動回転体
60  定尺ロープ
62  吊り輪部
70  短寸ロープ
80  フレコンバック
81  土嚢袋
Ｆ  除染完了区域
【図１】
0005468094.tif 000002
【図２】
0005468094.tif 000003
【図３】
0005468094.tif 000004
【図４】
0005468094.tif 000005
【図５】
0005468094.tif 000006
【図６】
0005468094.tif 000007
【図７】
0005468094.tif 000008
【図８】
0005468094.tif 000009
【図９】
0005468094.tif 000010
【図１０】
0005468094.tif 000011